(57)【要約】【課題】作業性、作業の安全性、強度を向上することができ、屋根面への加工が不要な安価で信頼性の高い太陽電池モジュール設置用架台（太陽電池システム）、太陽電池モジュール設置方法（太陽電池システム設置方法）を提供する。【解決手段】相互に対向して配置された第１端辺１１および第２端辺１２を有し屋根面ＲＦに対向して配置された太陽電池モジュール１０と、屋根面ＲＦに沿って配置され第１端辺１１を支持する第１支持部２１と、屋根面ＲＦに沿って配置され第２端辺１２を支持する第２支持部２２と、屋根面ＲＦの先端部ＲＦｔから突出した第１支持部２１の側に立てて配置された第１支柱２３ｆと、屋根面ＲＦの先端部ＲＦｔから突出した第２支持部２２の側に立てて配置された第２支柱２３ｓとを備え、第１支柱２３ｆおよび第２支柱２３ｓは第１支持部２１および第２支持部２２を保持する。【選択図】図１
2012146755.tif 000002
【特許請求の範囲】
【請求項１】
設置面に太陽電池モジュールを設置する太陽電池モジュール設置用架台であって、
前記太陽電池モジュールを支持する支持部材と、
前記支持部材が取り付けられた支柱とを備え、
前記支持部材は、前記支柱に対する取付側が前記支柱に沿って移動可能とされ、前記支柱に対する傾斜角が変化可能とされていること
を特徴とする太陽電池モジュール設置用架台。
【請求項２】
請求項１に記載の太陽電池モジュール設置用架台であって、
前記支持部材は、前記設置面に沿って配置されること
を特徴とする太陽電池モジュール設置用架台。
【請求項３】
請求項１または請求項２に記載の太陽電池モジュール設置用架台であって、
前記支柱は、前記支持部材を前記支柱の根元側から前記設置面の先端部に立て掛け得る位置で略垂直に立てられていること
を特徴とする太陽電池モジュール設置用架台。
【請求項４】
請求項３に記載の太陽電池モジュール設置用架台であって、
前記先端部は、雨どいであること
を特徴とする太陽電池モジュール設置用架台。
【請求項５】
請求項１から請求項４までのいずれか一つに記載の太陽電池モジュール設置用架台であって、
前記支柱は、前記設置面を仮想的に延長させた延長面と交わる位置より上方に伸びていること
を特徴とする太陽電池モジュール設置用架台。
【請求項６】
請求項１から請求項５までのいずれか一つに記載の太陽電池モジュール設置用架台であって、
前記支持部材と前記支柱とは、回転機構を介して連結されていること
を特徴とする太陽電池モジュール設置用架台。
【請求項７】
太陽電池モジュールを支持する支持部材と、前記支持部材が取り付けられた支柱とを備え、前記支持部材は、前記支柱に対する取付側が前記支柱に沿って移動可能とされ、前記支柱に対する傾斜角が変化可能とされている太陽電池モジュール設置用架台を用いて設置面に前記太陽電池モジュールを設置する太陽電池モジュール設置方法であって、
前記支柱に取り付けられた前記支持部材に前記太陽電池モジュールを支持させた状態とし、前記支持部材を前記設置面に立て掛けて前記太陽電池モジュールの荷重の一部を前記設置面に掛けた状態で前記太陽電池モジュールを持ち上げることによって、前記太陽電池モジュールを前記設置面に沿わせて配置すること
を特徴とする太陽電池モジュール設置方法。
【発明の詳細な説明】
【技術分野】
【０００１】
本発明は、設置面に設置される太陽電池モジュールを保持する太陽電池モジュール設置用架台、および設置面に太陽電池モジュールを設置する太陽電池モジュール設置方法に関する。
【背景技術】
【０００２】
一般の住居に適用される太陽電池モジュールは、設置面としての屋根面に設置されることから、特殊な設置構造が必要である。
【０００３】
具体的には、屋根を支える垂木に固定することから、瓦に穴を開けて支持金具を取り付け、瓦の上に載せた架台を取り付けた支持金具で連結していた。したがって、支持金具の取り付け、支持金具と架台の連結、架台への太陽電池モジュールの設置という多くの手数を必要としていた。
【０００４】
また、屋根面の上での作業が必要となることから、瓦が割れる虞があり、また、作業者の安全性に問題があるなど、設置作業で多くの課題がある。
【０００５】
また、屋根面に設置しない技術が提案されている（例えば、特許文献１、特許文献２参照。）。特許文献１に開示された技術は、架台を利用して太陽電池モジュールを設置するが、太陽電池モジュールは、空中に配置されることから風圧を直接受けることになり、強度上の問題がある。また、架台を取り付ける位置が軒先などであることから、強度の確保が困難であるという問題がある。
【０００６】
また、特許文献２に開示された技術は、太陽電池モジュールをベランダに設置するものである。この場合も太陽電池モジュールは、ベランダの壁面から空中へ突出した形態で保持されることから、設置作業が困難であり、また、強度上の問題が残っている。
【先行技術文献】
【特許文献】
【０００７】
【特許文献１】実開平６−４５３５５号公報
【特許文献２】実用新案登録第３１５５５８７号公報
【発明の概要】
【発明が解決しようとする課題】
【０００８】
本発明はこのような状況に鑑みてなされたものであり、屋根面などの設置面に沿わせて配置される太陽電池モジュールを設置面に上らずに設置し、作業性、安全性を向上させることができ、また、簡単な構造で信頼性の高い太陽電池モジュール設置用架台を提供することを目的とする。
【０００９】
また、本発明は、本発明に係る太陽電池モジュール設置用架台を適用して太陽電池モジュールを設置面に設置する方法であって、太陽電池モジュールの荷重を分散させて太陽電池モジュールの設置作業に必要な労力を軽減して作業の省力化を図り、安全性を向上させる太陽電池モジュール設置方法を提供することを他の目的とする。
【課題を解決するための手段】
【００１０】
本発明に係る太陽電池モジュール設置用架台は、設置面に太陽電池モジュールを設置する太陽電池モジュール設置用架台であって、前記太陽電池モジュールを支持する支持部材と、前記支持部材が取り付けられた支柱とを備え、前記支持部材は、前記支柱に対する取付側が前記支柱に沿って移動可能とされ、前記支柱に対する傾斜角が変化可能とされていることを特徴とする。
【００１１】
また、本発明に係る太陽電池モジュール設置用架台では、前記支持部材は、前記設置面に沿って配置されることを特徴とする。
【００１２】
また、本発明に係る太陽電池モジュール設置用架台では、前記支柱は、前記支持部材を前記支柱の根元側から前記設置面の先端部に立て掛け得る位置で略垂直に立てられていることを特徴とする。
【００１３】
また、本発明に係る太陽電池モジュール設置用架台では、前記先端部は、雨どいであることを特徴とする。
【００１４】
また、本発明に係る太陽電池モジュール設置用架台では、前記支柱は、前記設置面を仮想的に延長させた延長面と交わる位置より上方に伸びていることを特徴とする。
【００１５】
また、本発明に係る太陽電池モジュール設置用架台では、前記支持部材と前記支柱とは、回転機構を介して連結されていることを特徴とする。
【００１６】
また、本発明に係る太陽電池モジュール設置方法は、太陽電池モジュールを支持する支持部材と、前記支持部材が取り付けられた支柱とを備え、前記支持部材は、前記支柱に対する取付側が前記支柱に沿って移動可能とされ、前記支柱に対する傾斜角が変化可能とされている太陽電池モジュール設置用架台を用いて設置面に前記太陽電池モジュールを設置する太陽電池モジュール設置方法であって、前記支柱に取り付けられた前記支持部材に前記太陽電池モジュールを支持させた状態とし、前記支持部材を前記設置面に立て掛けて前記太陽電池モジュールの荷重の一部を前記設置面に掛けた状態で前記太陽電池モジュールを持ち上げることによって、前記太陽電池モジュールを前記設置面に沿わせて配置することを特徴とする。
【発明の効果】
【００１７】
本発明に係る太陽電池モジュール設置用架台によれば、例えば屋根面のような高所にある設置面に太陽電池モジュールを設置する場合に、太陽電池を支持する支持部材を設置面の先端部に立てかけた状態で太陽電池モジュールを持ち上げることによって、支持部材を設置面に沿わせて配置することができるので、作業者が設置面（屋根面）に上がらずに太陽電池モジュールを設置面に設置することができ、簡単な構造で太陽電池モジュールの設置作業を容易にして作業の省力化を図り、作業の安全性を向上させることができる。
【００１８】
また、本発明に係る太陽電池モジュール設置方法によれば、例えば屋根面のような高所にある設置面に太陽電池モジュールを設置する場合に、太陽電池モジュールを持ち上げることによって太陽電池モジュールが載置された支持部材を支柱と設置面の先端部とに沿わせて移動させるので、太陽電池モジュールの荷重の一部を設置面の先端部に分散させることが可能となり、簡単な構造で太陽電池モジュールの設置作業に必要な労力を軽減して作業の省力化を図り、作業の安全性を向上させることができる。
【図面の簡単な説明】
【００１９】
【図１】本発明の実施の形態１に係る太陽電池モジュール設置用架台を水平方向の正面から見た正面図である。
【図２】図１の矢符Ｘ−Ｘ方向での太陽電池モジュール設置用架台の断面図である。
【図３】図１に示した太陽電池モジュール設置用架台を斜め上方から見た斜視図である。
【図４】本発明の実施の形態２に係る太陽電池モジュール設置方法によって太陽電池モジュールを屋根面の先端部に立て掛けた状態を水平方向の正面から見た正面図である。
【図５Ａ】図４の矢符Ｘ−Ｘ方向での太陽電池モジュールの移動状態を示す断面図である。
【図５Ｂ】図５Ａの屋根面の先端部として雨どいを適用した具体例を示す断面図である。
【図６】図４に示した太陽電池モジュール設置方法での太陽電池モジュールおよび太陽電池モジュール設置用架台の状態を斜め上方から見た斜視図である。
【図７】図４の矢符Ｘ−Ｘ方向で図４の状態からさらに屋根面の方向へ太陽電池モジュールが移動された移動状態を示す断面図である。
【図８】本発明の実施の形態３に係る太陽電池モジュール設置用架台および太陽電池モジュール設置方法での太陽電池モジュールの状態を斜め上方から見た斜視図である。
【図９】本発明の実施の形態４に係る太陽電池モジュール設置用架台および太陽電池モジュール設置方法での太陽電池モジュールの設置状態を斜め上方から見た斜視図である。
【図１０】本発明の実施の形態５に係る太陽電池モジュール設置用架台および太陽電池モジュール設置方法での太陽電池モジュールの設置状態を斜め上方から見た斜視図である。
【発明を実施するための形態】
【００２０】
以下、本発明の実施の形態について図面を参照して説明する。
【００２１】
＜実施の形態１＞
図１ないし図３を参照して、本実施の形態に係る太陽電池モジュール設置用架台（更には太陽電池システム）の構成について説明する。なお、本実施の形態では、主に太陽電池システムについて説明し、太陽電池システムの架台部分を抽出した太陽電池モジュール設置用架台については、実施の形態２で機能的な観点を含めてまとめて説明する。
【００２２】
図１は、本発明の実施の形態１に係る太陽電池モジュール設置用架台１５（太陽電池システム１）を水平方向の正面から見た正面図である。
【００２３】
図２は、図１の矢符Ｘ−Ｘ方向での太陽電池モジュール設置用架台１５（太陽電池システム１）の断面図である。
【００２４】
図３は、図１に示した太陽電池モジュール設置用架台１５（太陽電池システム１）を斜め上方から見た斜視図である。
【００２５】
本実施の形態に係る太陽電池システム１は、設置面としての屋根面ＲＦに設置された太陽電池モジュール１０と太陽電池モジュール１０を支持する第１支持部２１、第２支持部２２、第１支持部２１、第２支持部２２を保持する第１支柱２３ｆ、第２支柱２３ｓを備える。太陽電池モジュール１０は、第１支持部２１、第２支持部２２によって端辺の底面を支持され、支柱２３（第１支柱２３ｆ、第２支柱２３ｓ）より高い位置に配置されるので、太陽電池パネル面１０ｐは、太陽電池モジュール設置用架台１５（第１支持部２１、第２支持部２２、支柱２３など）によって遮光される虞がない。
【００２６】
つまり、太陽電池システム１は、相互に対向して配置された第１端辺１１および第２端辺１２を有し屋根面ＲＦに対向して配置された太陽電池モジュール１０と、屋根面ＲＦに沿って配置され第１端辺１１を支持する第１支持部２１と、屋根面ＲＦに沿って配置され第２端辺１２を支持する第２支持部２２とを備える。
【００２７】
なお、第１支持部２１および第２支持部２２は、太陽電池モジュール１０に対向する側に太陽電池モジュール１０を支持する支持面２０ｓを有する。支持面２０ｓは、平坦な平面状であっても、断面が円筒状のパイプの表面であっても良い。第１支持部２１、第２支持部２２は、太陽電池モジュール１０に対して締結部材などによって適宜締結されて一体化されていることが望ましい。予め一体化しておくことによって強度および作業性を向上させることができる。
【００２８】
また、太陽電池システム１は、屋根面ＲＦの先端部ＲＦｔから突出した第１支持部２１の側に立てて配置された第１支柱２３ｆと、屋根面ＲＦの先端部ＲＦｔから突出した第２支持部２２の側に立てて配置された第２支柱２３ｓとを備え、第１支柱２３ｆおよび第２支柱２３ｓは第１支持部２１および第２支持部２２を保持する構成とされている。
【００２９】
したがって、本実施の形態に係る太陽電池システム１は、太陽電池モジュール１０を設置するとき、立てて配置された一対の支柱２３（第１支柱２３ｆ、第２支柱２３ｓ）を利用して垂直方向で太陽電池モジュール１０を地面側から屋根面ＲＦへ移動させ、太陽電池モジュール１０を屋根面ＲＦに上らずに屋根面ＲＦに設置するので、作業性、作業の安全性、強度を向上することができ、また、屋根面ＲＦへの加工が不要な安価で信頼性の高い太陽電池システムとなる。
【００３０】
第１支柱２３ｆ、第２支柱２３ｓは、設置面となる屋根面ＲＦを仮想的に延長させた延長面ＲＦｓ（支持部材２０の延長線）と支柱２３（第１支柱２３ｆ、第２支柱２３ｓ）が交差する位置より高い位置まで延長して配置されている。したがって、太陽電池モジュール１０を地面側（下限位置としての固定部５０の側）から屋根面ＲＦへ容易に移動させることができる。
【００３１】
すなわち、支柱２３は、設置面（屋根面ＲＦ）を仮想的に延長させた延長面ＲＦｓと交わる位置より上方に伸びている。したがって、設置面を仮想的に延長させて構成された延長面ＲＦｓに支持部材２０を沿わせて配置することができるので、太陽電池モジュール１０を確実に設置面（屋根面ＲＦ）に沿わせて設置することができる。
【００３２】
つまり、支柱２３は、先端部ＲＦｔの横側位置（先端部ＲＦｔの水平方向で予め設定された間隔を有する位置）に向けて略垂直に立てられる。予め設定された間隔としては、支持部材２０に取り付けられた太陽電池モジュール１０を作業者が地上で扱える状態で、第１支持部２１、第２支持部２２を先端部ＲＦｔに立て掛けることができる程度の間隔であれば良い。
【００３３】
すなわち、支柱２３は、支持部材２０を支柱２３の根元側（支柱２３の先端側に対して固定部５０の側）から設置面（屋根面ＲＦ）の先端部ＲＦｔに立て掛け得る位置で略垂直に立てられている。したがって、支持部材２０の取付側（支柱２３の側）を支柱２３の根元側に配置した状態で他端側（太陽電池モジュール１０が配置された側）を設置面としての屋根面ＲＦ（屋根面ＲＦの先端部ＲＦｔ）に立て掛けられることから、太陽電池モジュール１０を設置面に設置するときに、太陽電池モジュール１０の荷重の一部を設置面（先端部ＲＦｔ）に掛けて荷重を分散させることが可能となり、太陽電池モジュール１０を持ち上げるときに必要となる労力を軽減して太陽電池モジュール１０を設置面（屋根面ＲＦ）側へ容易に移動させることができる。
【００３４】
なお、屋根面ＲＦの先端部ＲＦｔは、壁面ＷＬから突出して軒先を有する状態で示しているが、必ずしもこのような形状に限らない。
【００３５】
太陽電池システム１は、第１支持部２１および第２支持部２２を保持し、第１支柱２３ｆおよび第２支柱２３ｓを水平方向で連結する第１水平連結部３１を備える。
【００３６】
したがって、本実施の形態に係る太陽電池システム１は、第１支持部２１および第２支持部２２を垂直方向で地面側から屋根面側へ移動させるとき、第１水平連結部３１を垂直方向で第１支柱２３ｆ、第２支柱２３ｓに沿って移動させることで、容易に、かつ高精度に第１支持部２１および第２支持部２２を同時に移動させることができ、位置決め精度および作業性を向上させる。また、設置後は、第１支持部２１と第２支持部２２を第１水平連結部３１に対して同一の配置状態とすることから、太陽電池モジュール１０に加わるストレスを低減して信頼性を向上させる。
【００３７】
第１支持部２１および第２支持部２２は、第１水平連結部３１に軸受け構造で嵌め込まれた回転部（回転部２５、回転部２６）を備える。回転部２５は、第１支持部２１の側に配置され、回転部２６は、第２支持部２２の側に配置される。
【００３８】
したがって、本実施の形態に係る太陽電池システム１は、第１支持部２１および第２支持部２２が第１水平連結部３１の軸周りで自由に回転することから、第１水平連結部３１を第１支柱２３ｆおよび第２支柱２３ｓに沿って垂直方向へ移動させると、第１支持部２１および第２支持部２２は、屋根面ＲＦの先端部ＲＦｔに対向させて移動する構成となり、容易に、かつ、安定的に太陽電池モジュール１０を移動できるので、位置決め精度および作業性を向上させる。
【００３９】
なお、第１水平連結部３１の軸構造は、円柱状（丸棒）、円筒状（パイプ）いずれの構成でも良い。
【００４０】
第１支持部２１、第２支持部２２、第１水平連結部３１は、太陽電池モジュール１０を支持する支持部材２０を構成し、太陽電池モジュール１０を支持する支持面２０ｓを有する。
【００４１】
第１水平連結部３１の両端（第１支柱２３ｆ、第２支柱２３ｓに対する連結部）は、第１支柱２３ｆおよび第２支柱２３ｓのそれぞれに沿って昇降移動する昇降移動部（昇降移動部３２、昇降移動部３３）を備える。
【００４２】
したがって、本実施の形態に係る太陽電池システム１は、昇降移動部３２、昇降移動部３３によって第１水平連結部３１の移動（昇降）を容易に、かつ、高精度に規制することから、太陽電池モジュール１０を設置するときの作業性を向上させ、また、第１水平連結部３１が第１支柱２３ｆおよび第２支柱２３ｓから脱落することを確実に防止するので、信頼性を向上させる。
【００４３】
昇降移動部３２、昇降移動部３３は、第１支柱２３ｆ、第２支柱２３ｓに対して同心状に配置する構造とすることが望ましい。この構成によって、強度および精度が向上させる。
【００４４】
第１支柱２３ｆの先端側および第２支柱２３ｓの先端側を水平方向で連結する第２水平連結部４０を備える。したがって、本実施の形態に係る太陽電池システム１は、第１支柱２３ｆおよび第２支柱２３ｓの先端側で相互の位置関係を高精度に維持することから、第１支柱２３ｆおよび第２支柱２３ｓの位置精度および構造的強度を向上させ、太陽電池モジュール１０の設置時の移動を円滑にし、また、設置時の位置ズレ、設置後の位置ズレ、太陽電池モジュール１０に対するストレスの発生を防止し、信頼性を向上させる。
【００４５】
なお、第１支柱２３ｆおよび第２支柱２３ｓの先端側とは、第１支柱２３ｆ、第２支柱２３ｓの開放された側を示し、地面側（固定部５０）とは反対側である。具体的な位置は、支持面２０ｓ（第１支持部２１および第２支持部２２。延長面ＲＦｓ）と支柱２３（第１支柱２３ｆおよび第２支柱２３ｓ）とが交差する位置より高い位置である。
【００４６】
第２水平連結部４０は、第１支柱２３ｆ、第２支柱２３ｓに対して連結保持部４１、連結保持部４２を介して連結されている。第２水平連結部４０は、連結保持部４１、連結保持部４２によって第１支柱２３ｆおよび第２支柱２３ｓを高精度に位置決めすることができる。第１支柱２３ｆおよび第２支柱２３ｓを高精度に位置決めすることによって第１水平連結部３１（昇降移動部３２、昇降移動部３３）の昇降移動を円滑化し、高精度化、容易化する。
【００４７】
第１支柱２３ｆの根元および第２支柱２３ｓの根元は、固定部５０で固定されている。したがって、太陽電池システム１は、一対の支柱２３（第１支柱２３ｆ、第２支柱２３ｓ）の配置を高精度に維持することから、設置作業での作業性、設置後の安定性を確保する。
【００４８】
なお、図３では、固定部５０をさらに具体的に例示している。つまり、固定部５０は、建築物ＢＬ（例えばベランダの手すり壁などでも良い。）に取り付けられた締結部材５０ｓで構成されている。この構成によって、固定部５０は、建築物ＢＬに取り付けられた締結部材５０ｓで構成されていることから、設置場所の許容範囲を拡充し、用途に応じた利用を促進することができる。
【００４９】
固定部５０ｓは例えば鋼材で形成される。第１支柱２３ｆ、第２支柱２３ｓ、第１水平連結部３１、第２水平連結部４０は、例えば構造用の鋼管で形成される。鋼材、鋼管いずれも、溶融亜鉛メッキなどの防錆処理を施すことによって、構造物としての信頼性を向上させる。第１支持部２１、第２支持部２２、昇降移動部３２、昇降移動部３３、連結保持部４１、連結保持部４２、回転部２５、回転部２６は、高強度のアルミニウム合金で形成される。
【００５０】
太陽電池モジュール１０は、第１支持部２１、第２支持部２２とは別の額縁状フレーム（不図示）によって保持することが望ましい。額縁状フレームは、高強度のアルミニウム合金で形成される。
【００５１】
なお、屋根面ＲＦは傾斜の有無を問わない。したがって、傾斜屋根、平屋根のいずれに対しても適応する。太陽電池モジュール１０を屋根面ＲＦに沿わせて配置した状態では、支持部材２０（第１支持部２１、第２支持部２２）は、支柱２３に対して傾斜角α（図２参照）を有する。支持部材２０（第１支持部２１、第２支持部２２、第１水平連結部３１）が支柱２３に対して有する傾斜角αは、太陽電池モジュール１０を移動させる工程で自在に変化可能な構成とされている（実施の形態２参照）。
【００５２】
また、第１支持部２１、第２支持部２２、第１支柱２３ｆ、第２支柱２３ｓ、第１水平連結部３１、第２水平連結部４０、固定部５０（固定部５０ｓ）などの機械的構造（形状）は、必要な機械的強度に応じて適宜計算される。
【００５３】
本実施の形態に係る太陽電池システム１では、太陽電池モジュール１０は、第１支持部２１、第２支持部２２を介して屋根面ＲＦに密着する構造となる。したがって、自重がそのまま屋根面ＲＦに加わり、安定した設置状態となることから、強度が高く、風などの影響を防止できる。
【００５４】
また、第１支持部２１、第２支持部２２は、回転部２５、回転部２６を介して第１水平連結部３１に固定され、第１水平連結部３１は、第１支柱２３ｆ、第２支柱２３ｓに昇降移動部３２、昇降移動部３３を介して固定される。つまり、太陽電池モジュール１０を屋根面ＲＦに設置した状態では、回転部２５、回転部２６は、回転動作をしないように固定され、また、昇降移動部３２、昇降移動部３３は、第１支柱２３ｆ、第２支柱２３ｓに対して固定され、昇降動作をしない状態とされる。
【００５５】
つまり、太陽電池モジュール１０を設置するときには可動状態であった回転部２５、回転部２６は固定され、また、太陽電池モジュール１０を設置するときには昇降動作をする状態であった昇降移動部３２、昇降移動部３３は固定される。
【００５６】
したがって、第１支柱２３ｆ、第２支柱２３ｓ、第１支持部２１、第２支持部２２、第１水平連結部３１は、一体化され剛性を有する形態（構造物）となるので、太陽電池モジュール１０（太陽電池システム１）は、屋根面ＲＦに密着した状態で確実に設置され、固定され、強度を確保することから強風などによる影響を排除する信頼性の高い設置状態を確保する。
【００５７】
第１支持部２１と回転部２５の連結構造、第２支持部２２と回転部２６の連結構造は、それぞれ予め一体化しておくことが可能である。例えば、鋳造技術を用いて、一体化され、リンク構造とされた第１支持部２１、回転部２５の１組と、第２支持部２２、回転部２６の１組とを予め形成することが可能である。
【００５８】
＜実施の形態２＞
図４ないし図７を参照して、本実施の形態に係る太陽電池モジュール設置用架台および太陽電池モジュール設置方法（更には、太陽電池システムおよび太陽電池システム設置方法）について説明する。本実施の形態に係る太陽電池モジュール、太陽電池モジュール設置用架台（太陽電池システム）は、実施の形態１に係る太陽電池システム１、太陽電池モジュール１０、太陽電池モジュール設置用架台１５と同様であるので、適宜符号を援用する。また、主に異なる事項について説明する。
【００５９】
なお、太陽電池モジュール設置用架台１５、太陽電池モジュール設置用架台１５を用いて設置面に太陽電池モジュール１０を設置する太陽電池モジュール設置方法については、本実施の形態の最後にまとめて説明する。
【００６０】
図４は、本発明の実施の形態２に係る太陽電池モジュール設置方法（太陽電池システム設置方法）によって太陽電池モジュール１０を設置面としての屋根面ＲＦの先端部ＲＦｔに立て掛けた状態を水平方向の正面から見た正面図である。
【００６１】
図５Ａは、図４の矢符Ｘ−Ｘ方向での太陽電池モジュール１０の移動状態を示す断面図である。
【００６２】
図５Ｂは、図５Ａの屋根面の先端部が雨どいであるときの具体例を示す断面図である。
【００６３】
図６は、図４に示した太陽電池モジュール設置方法（太陽電池システム設置方法）での太陽電池モジュール１０および太陽電池モジュール設置用架台１５の状態を斜め上方から見た斜視図である。
【００６４】
図４ないし図６では、太陽電池モジュール１０の先端側（支持部材２０の先端側。支持部材２０の取付側と反対方向の端部側）を屋根面ＲＦの先端部ＲＦｔに立て掛けた状態、つまり、太陽電池システム設置方法および太陽電池モジュール設置方法の作業を実施するときの初期状態を示す。
【００６５】
本実施の形態に係る太陽電池システム設置方法では、準備段階として、第１支柱２３ｆ、第２支柱２３ｓが固定部５０（固定部５０ｓ）を介して設置される。支柱２３（第１支柱２３ｆ、第２支柱２３ｓ）は、支持部材２０（第１支持部２１、第２支持部２２、第１水平連結部３１）を支柱２３の根元側（固定部５０の近くで、作業者が作業可能な垂直方向での位置）から屋根面ＲＦに支持部材２０（第１支持部２１、第２支持部２２）を立て掛けできる程度に壁面ＷＬから離して設置される。支柱２３の平面的な配置は、実施の形態１で説明したとおり、支持部材２０を支柱２３の根元側から屋根面ＲＦの先端部ＲＦｔに立て掛け得る位置である。また、支柱２３は、略垂直に（垂直方向に向けて）立てられる。
【００６６】
なお、支持部材２０（第１支持部２１、第２支持部２２）への太陽電池モジュール１０の搭載は、例えば、次のようにして実施できる。
【００６７】
支持部材２０（第１支持部２１、第２支持部２２、第１水平連結部３１）を支柱２３に取り付けた状態で、支持部材２０を固定部５０および壁面ＷＬの間で作業性の良い適宜の傾斜角αとなるようにして適宜の位置に立て掛けて静止させ、静止状態で支持部材２０（支持面２０ｓ）に太陽電池モジュール１０を固定する。
【００６８】
このようにして、第１支持部２１、第２支持部２２に結合された太陽電池モジュール１０が準備される。また、太陽電池モジュール１０は、第１回転部２５、第２回転部２６を介して第１水平連結部３１に連結される。第１水平連結部３１は、昇降移動部３２、昇降移動部３３を介して第１支柱２３ｆ、第２支柱２３ｓへ連結される。
【００６９】
なお、昇降移動部３２、昇降移動部３３は、第１水平連結部３１の移動に応じて第１支柱２３ｆ、第２支柱２３ｓを地面側から上方の先端に向けて円滑に移動する構成とされ、移動終了後は第１支柱２３ｆ、第２支柱２３ｓへ堅固に固定される。
【００７０】
準備した太陽電池モジュール１０を垂直方向で上方（方向Ｄｕｐ）へ引き上げる。つまり、太陽電池モジュール１０は、屋根面ＲＦ（先端部ＲＦｔ）の方へ向けて引き上げられる。太陽電池モジュール１０の上方への引き上げに応じて、第１水平連結部３１は、第１支柱２３ｆ、第２支柱２３ｓに沿って上方へ移動する。太陽電池モジュール１０は、作業者が容易に作業できる適宜の高さに引き上げられ、次いで、太陽電池モジュール１０（支持部材２０としての第１支持部２１、第２支持部２２）が屋根面ＲＦの先端部ＲＦｔに立て掛けられる（図５Ａ、図５Ｂ参照）。
【００７１】
なお、引き上げ作業は、例えば次のとおりに実施することができる。つまり、ロープの一端を第１水平連結部３１に結び付け、ロープの他端を第２水平連結部４０に掛けて地面側へ引くようにすれば第１水平連結部３１を垂直方向で上側へ移動させることができ、同時に、太陽電池モジュール１０は、屋根面ＲＦに沿って屋根面ＲＦの上方へ移動する。したがって、太陽電池モジュール１０を屋根面ＲＦの上方へ引き上げる作業であるにもかかわらず、作業者が屋根面ＲＦに上る必要は全く生じない。
【００７２】
また、太陽電池モジュール１０を先端部ＲＦｔに立て掛ける作業は、太陽電池モジュール１０を垂直方向で保持した状態で単に先端を先端部ＲＦｔの側へ倒すだけで良いことから、ほとんど労力を要せず安全に実施することができる。
【００７３】
太陽電池モジュール１０を先端部ＲＦｔに立て掛けた後は、先端部ＲＦｔが太陽電池モジュール１０（第１支持部２１、第２支持部２２）に対して可動支点（支点）として作用することから、第１水平連結部３１（太陽電池モジュール１０）を方向Ｄｕｐ（垂直方向で上側へ向く方向）へ引き上げると、太陽電池モジュール１０は、方向Ｄｒｔ（屋根面ＲＦへ向かう方向）の方へ徐々に移動する。
【００７４】
太陽電池モジュール１０を引き上げるとき、当初の段階では、太陽電池モジュール１０の重量の全体が垂直方向に現れることから、第１水平連結部３１を上方へ移動させるのに大きい力が必要となり、太陽電池モジュール１０を保持する作業者として複数の作業者が必要になることがある。しかし、太陽電池モジュール１０（第１支持部２１、第２支持部２２）の背面を先端部ＲＦｔに立て掛けた後は、太陽電池モジュール１０の重量を先端部ＲＦｔが支える形態となり、太陽電池モジュール１０が上方へ移動するにしたがって、太陽電池モジュール１０の重量は、徐々に先端部ＲＦｔが支えるようになり、作業者に必要とされる労力は徐々に軽減され、作業者の人数（作業者に必要とされる労力）を減らすことができる。
【００７５】
なお、第１水平連結部３１は、軸で構成されており、第１水平連結部３１に軸受け構造で連結された回転部２５および回転部２６は、第１支持部２１および第２支持部２２を任意の角度で保持する形態となる。したがって、第１水平連結部３１の上昇に応じて、第１支持部２１、第２支持部２２と屋根面ＲＦとの角度は、徐々に狭くなり、最終的には、太陽電池モジュール１０（第１支持部２１、第２支持部２２）が屋根面ＲＦに当接する。
【００７６】
つまり、太陽電池モジュール１０を先端部ＲＦｔに立て掛けた後は、先端部ＲＦｔが可動支点となり、回転部２５、回転部２６が回転支点となって、リンク機構を構成することから、第１水平連結部３１（昇降移動部３２、昇降移動部３３）が第１支柱２３ｆ、第２支柱２３ｓを地面側から上方へ移動すると、先端部ＲＦｔを可動支点とする第１支持部２１、第２支持部２２（太陽電池モジュール１０）の先端は、徐々に屋根面ＲＦの方向（方向Ｄｒｔ）へ放物線を描くようにして移動する。
【００７７】
太陽電池モジュール１０を徐々に垂直方向で上方（方向Ｄｕｐ）へ移動させると、支持部材２０（第１支持部２１、第２支持部２２）が支柱２３に対して構成する傾斜角αは、徐々に大きくなるように変化し、太陽電池モジュール１０が屋根面ＲＦに設置された状態では、屋根面ＲＦの延長面ＲＦｓが支柱２３との間で構成する傾斜角α（図２参照）に等しくなる。
【００７８】
なお、屋根面ＲＦに雨どいが配置されている場合、屋根面ＲＦの先端部ＲＦｔは、屋根面ＲＦの軒先に配置された雨どいとなる（図５Ｂ）。雨どいの作用は、実質上、先端部ＲＦｔと同様である。つまり、本実施の形態でいう屋根面ＲＦの先端部ＲＦｔは、屋根面ＲＦの軒先に配置された雨どいを含む概念である。したがって、太陽電池モジュール設置用架台１５は、先端部ＲＦｔが雨どいとされているときでも、雨どいをそのまま利用するので太陽電池モジュール１０を容易に設置することができる。
【００７９】
上述したとおり、本実施の形態に係る太陽電池システム設置方法によれば、屋根面ＲＦの先端部ＲＦｔを可動支点として利用することから、太陽電池モジュール１０の重量を先端部ＲＦｔによって分担して保持する。したがって、作業者は、太陽電池モジュール１０の重量の全体を保持する必要がなくなり、作業に必要な労力を軽減する。また、作業者が屋根面ＲＦで太陽電池モジュール１０を保持する必要がなくなるので、作業の安全性を向上させる。
【００８０】
太陽電池モジュール１０は、屋根面ＲＦに近くなるほど自己の重量が有効に作用するようになることから、作業者から見ればさらに軽い力で移動するようになり、外部から加える力はほとんど不要となる。したがって、移動中における太陽電池モジュール１０に加わるストレスが軽減され、ガラス製の太陽電池パネル面１０ｐを有する太陽電池モジュール１０へのダメージを低減することになる。最終的には、太陽電池モジュール１０は、図１で示したとおり、屋根面ＲＦに密着した状態で設置される。
【００８１】
つまり、支柱２３の根元での作業では大きな力が必要となるが作業者は、地面に立った状態で安全に作業できることから負担を軽減することができる。また、太陽電池モジュール１０が屋根面ＲＦの上方に到達した状態では、作業者が必要とする力は小さくなることからより安全に作業することができる。
【００８２】
太陽電池モジュール１０を屋根面ＲＦに設置した後は、可動部とされていた昇降移動部３２、昇降移動部３３を固定する。つまり、第１支持部２１および第２支持部２２を第１支柱２３ｆおよび第２支柱２３ｓに対して位置決めして固定する。
【００８３】
太陽電池モジュール１０が屋根面ＲＦに設置された後は、第１支持部２１、第２支持部２２を含めた太陽電池モジュール１０からの重量が垂直方向で屋根面ＲＦへ作用するので、屋根面ＲＦから滑り落ちる方向での力はほとんど作用しなくなり、太陽電池システム１は安定した設置状態を確保する。また、滑り落ちる方向での力（ずり落ちようとする力）は、第１支持部２１、第２支持部２２が第１水平連結部３１を先端部ＲＦｔと反対側に撓ませるように作用することで吸収される。
【００８４】
図７は、図４の矢符Ｘ−Ｘ方向で図４の状態からさらに屋根面ＲＦの方向へ太陽電池モジュール１０が移動された移動状態を示す断面図である。
【００８５】
第１水平連結部３１がさらに上方へ引き上げられ、太陽電池モジュール１０が、ほとんど屋根面ＲＦの上側に臨んだ状態となっている。つまり、太陽電池モジュール１０の重量は、ほとんど先端部ＲＦｔに加わるようになり、太陽電池モジュール１０を高い位置へ引き上げるほど、作業に必要な力が不要となり、作業性、安全性を向上させる。
【００８６】
さらに上方へ太陽電池モジュール１０を引き上げると、実施の形態１に記載したとおり、太陽電池モジュール１０を屋根面ＲＦへ、移動させることができる。
【００８７】
上述したとおり、本実施の形態に係る太陽電池システム設置方法は、相互に離れて配置された第１端辺１１および第２端辺１２を有し屋根面ＲＦに対向して配置された太陽電池モジュール１０と、屋根面ＲＦに沿って配置され第１端辺１１を支持する第１支持部２１と、屋根面ＲＦに沿って配置され第２端辺１２を支持する第２支持部２２とを備え、第１支持部２１および第２支持部２２は、相互に離れて屋根面ＲＦの先端部ＲＦｔから突出され、突出した第１支持部２１の側に立てて配置された第１支柱２３ｆと、突出した第２支持部２２の側に立てて配置された第２支柱２３ｓとを備え、第１支柱２３ｆおよび第２支柱２３ｓは第１支持部２１および第２支持部２２を保持する構成とされている太陽電池システム１を設置する設置方法である。
【００８８】
また、本実施の形態に係る太陽電池システム設置方法は、要約すれば、次のステップ（第１ステップ〜第３ステップ）によって実行される。
【００８９】
つまり、本実施の形態に係る太陽電池システム設置方法は、第１支柱２３ｆおよび第２支柱２３ｓに沿って第１支持部２１および第２支持部２２が上昇するように太陽電池モジュール１０を屋根面ＲＦの先端部ＲＦｔに沿わせて地面側から屋根面ＲＦの上方へ向けて上昇させる第１ステップと、第１支持部２１および第２支持部２２を屋根面ＲＦに対向させて太陽電池モジュール１０を屋根面ＲＦに設置する第２ステップと、第１支持部２１および第２支持部２２を第１支柱２３ｆおよび第２支柱２３ｓに対して位置決めする第３ステップとを備える。
【００９０】
したがって、本実施の形態に係る太陽電池システム設置方法は、太陽電池モジュール１０を屋根面ＲＦの先端部ＲＦｔに沿わせて地面側から屋根面ＲＦの上方へ向けて上昇させるので、設置作業時に屋根面ＲＦの上に上る必要がなく、小さい労力で太陽電池モジュール１０を確実に、かつ安定性良く設置する。また、本実施の形態に係る太陽電池システム設置方法は、設置作業の安全性を確保し、作業を簡略化するので、設置コストを低減する。また、屋根面ＲＦへの加工が全く不要であり、作業性、信頼性の高い太陽電池システム設置方法となる。
【００９１】
なお、第１ステップでの、「太陽電池モジュール１０を屋根面ＲＦの先端部ＲＦｔに沿わせて」とは、屋根面ＲＦの先端部ＲＦｔを支点とする場合（本実施の形態）、第３水平連結部４５（図８、実施の形態３参照）を支点とする場合を含めた概念である。
【００９２】
また、第３ステップでの、「第１支持部２１および第２支持部２２を第１支柱２３ｆおよび第２支柱２３ｓに対して位置決めする」は、以降での太陽電池モジュール１０の移動を停止して位置を確定し、さらには、各部材相互間を固定することである。したがって、太陽電池モジュール１０の設置位置を確定することとなる。
【００９３】
また、本実施の形態に係る太陽電池システム設置方法では、第１ステップは、第１支柱２３ｆおよび第２支柱２３ｓを水平方向で連結する第１水平連結部３１が第１支持部２１および第２支持部２２を保持した状態で第１支柱２３ｆおよび第２支柱２３ｓに沿って上昇するように実施され、第３ステップは、第１水平連結部３１を第１支柱２３ｆおよび第２支柱２３ｓに対して固定することによって実施される。
【００９４】
したがって、本実施の形態に係る太陽電池システム設置方法では、第１支持部２１、第２支持部２２相互の位置関係を第１水平連結部３１で確定することから、太陽電池モジュール１０を移動させるときの第１支持部２１、第２支持部２２への移動の影響を抑制し、また、第１水平連結部３１を第１支柱２３ｆ、第２支柱２３ｓへ堅固に取り付けて構造物としての信頼性を確保することができる。
【００９５】
なお、本実施の形態に係る太陽電池システム設置方法では、第１ステップは、太陽電池モジュール１０を屋根面ＲＦの先端部ＲＦｔに沿わせて地面側から屋根面ＲＦの上方へ向けて上昇させるとき、屋根面ＲＦの先端部ＲＦｔを支点として、太陽電池モジュール１０を支点に立て掛けた状態で実施される。
【００９６】
したがって、本実施の形態に係る太陽電池システム設置方法は、屋根面ＲＦの先端部ＲＦｔをそのまま支点として利用するので、建築物ＢＬの安定性をそのまま利用でき、安定性の良い設置が可能となる。
【００９７】
なお、本実施の形態では、太陽電池システム設置方法として太陽電池モジュール１０を設置する場合を中心に説明したが、太陽電池モジュール１０を下ろす場合も同様に対応することが可能である。したがって、太陽電池モジュール１０に対するメンテナンス作業を設置作業と同様に簡略化することができる。
【００９８】
次に、太陽電池モジュール設置用架台１５、太陽電池モジュール設置方法について機能的な観点で説明する。
【００９９】
上述したとおり、太陽電池モジュール設置用架台１５は、設置面（屋根面ＲＦ）に太陽電池モジュール１０を設置する太陽電池モジュール設置用架台である。太陽電池モジュール設置用架台１５は、太陽電池モジュール１０を支持する支持部材２０と、支持部材２０が取り付けられた支柱２３とを備え、支持部材２０は、支柱２３に対する取付側が支柱２３に沿って移動可能とされ、支柱２３に対する傾斜角αが変化可能とされている。
【０１００】
したがって、太陽電池モジュール設置用架台１５は、例えば屋根面ＲＦのような高所にある設置面に太陽電池モジュール１０を設置する場合に、太陽電池モジュール１０を支持する支持部材２０を設置面（屋根面ＲＦ）の先端部ＲＦｔに立て掛けた状態で太陽電池モジュール１０を持ち上げることによって、支持部材２０を設置面（屋根面ＲＦ）に沿わせて配置することができるので、作業者が設置面（屋根面ＲＦ）（屋根面）に上がらずに太陽電池モジュール１０を設置面（屋根面ＲＦ）に設置することができ、簡単な構造で太陽電池モジュール１０の設置作業を容易にして作業の省力化を図り、作業の安全性を向上させる。
【０１０１】
また、太陽電池モジュール設置用架台１５では、支持部材２０は、屋根面ＲＦに沿って配置される。したがって、太陽電池モジュール設置用架台１５は、太陽電池モジュール１０を設置面（屋根面ＲＦ）に沿わせて配置するので、設置面（屋根面ＲＦ）の形状（例えば傾斜）を有効に活用することができる。
【０１０２】
また、太陽電池モジュール設置用架台１５では、支柱２３は、支持部材２０を支柱２３の根元側から設置面（屋根面ＲＦ）の先端部ＲＦｔに立て掛け得る位置で略垂直に立てられている。したがって、太陽電池モジュール設置用架台１５は、支持部材２０の取付側（第１水平連結部３１に対応する側）を支柱２３の根元側に配置した状態で他端側（搭載された太陽電池モジュール１０を支持する側）を屋根面ＲＦの先端部ＲＦｔに立て掛けられることから、太陽電池モジュール１０を設置面（屋根面ＲＦ）に設置するときに、太陽電池モジュール１０の荷重の一部を設置面（屋根面ＲＦ、先端部ＲＦｔ）に掛けて荷重を分散させることが可能となり、太陽電池モジュール１０を持ち上げるときに必要となる労力を軽減して太陽電池モジュール１０を設置面（屋根面ＲＦ）側へ容易に移動させることができる。
【０１０３】
つまり、支持部材２０を屋根面ＲＦの先端部ＲＦｔに立て掛けられる位置に支柱２３を設け、屋根面ＲＦの先端部ＲＦｔを支持部材２０に対する可動支点（支点）として太陽電池モジュール１０を持ち上げることで傾斜角αを支持部材２０の移動状態に追随させ、支持部材２０を屋根面ＲＦに沿わせて配置することができる。
【０１０４】
また、太陽電池モジュール設置用架台１５では、支柱２３は、設置面（屋根面ＲＦ）を仮想的に延長させた延長面ＲＦｓと交わる位置より上方に伸びている。したがって、太陽電池モジュール設置用架台１５は、設置面（屋根面ＲＦ）を仮想的に延長させて構成された延長面ＲＦｓに支持部材２０を沿わせて配置することができるので、太陽電池モジュール１０を確実に設置面（屋根面ＲＦ）に沿わせて設置することができる。
【０１０５】
また、太陽電池モジュール設置用架台１５では、支持部材２０と支柱２３とは、回転機構を介して連結されている。したがって、太陽電池モジュール設置用架台１５は、支持部材２０の傾斜角αを回転機構によって変動させるので、傾斜角αを容易にかつ連続的に変動させて太陽電池モジュール１０の設置をより円滑にすることができる。
【０１０６】
すなわち、支持部材２０は、支持部材２０（第１支持部２１、第２支持部２２）の支柱２３に対する取付側で回転機構を介して支柱２３に連結している。なお、本実施の形態に係る回転機構は、回転部２５、回転部２６、第１水平連結部３１で構成される。
【０１０７】
また、回転部２５、回転部２６を回転部材ではなく固定部材として構成し、回転部２５、回転部２６、第１水平連結部３１の相互関係を固定部材で固定した関係とした状態で、第１水平連結部３１と昇降移動部３２、昇降移動部３３との間に回転機構を配置することも可能である。具体的には、第１水平連結部３１を軸状とし、第１水平連結部３１を保持する昇降移動部３２、昇降移動部３３の保持構造を筒型の穴構造とし、第１水平連結部３１を筒型の穴構造で保持することによって回転機構とすることができる。
【０１０８】
本実施の形態に係る太陽電池モジュール設置方法は、太陽電池モジュール１０を支持する支持部材２０と、支持部材２０が取り付けられた支柱２３とを備え、支持部材２０は、支柱２３に対する取付側が支柱２３に沿って移動可能とされ、支柱２３に対する傾斜角αが変化可能とされている太陽電池モジュール設置用架台１５を用いて設置面（屋根面ＲＦ）に太陽電池モジュール１０を設置する太陽電池モジュール１０設置方法であって、支柱２３に取り付けられた支持部材２０に太陽電池モジュール１０を支持させた状態とし、支持部材２０を設置面（屋根面ＲＦ）に立て掛けて太陽電池モジュール１０の荷重の一部を設置面（屋根面ＲＦ）に掛けた状態で太陽電池モジュール１０を持ち上げることによって、太陽電池モジュール１０を設置面（屋根面ＲＦ）に沿わせて配置する。
【０１０９】
したがって、太陽電池モジュール設置方法は、屋根面ＲＦのような高所にある設置面に太陽電池モジュール１０を設置する場合に、太陽電池モジュール１０を持ち上げることによって太陽電池モジュール１０が載置された支持部材２０を支柱２３と設置面（屋根面ＲＦ）の先端部ＲＦｔとに沿わせて移動させるので、太陽電池モジュール１０の荷重の一部を設置面（屋根面ＲＦ）の先端部ＲＦｔに分散させることが可能となり、簡単な構造で太陽電池モジュール１０の設置作業に必要な労力を軽減して作業の省力化を図り、作業の安全性を向上させる。
【０１１０】
＜実施の形態３＞
図８を参照して、本実施の形態に係る太陽電池モジュール設置用架台および太陽電池モジュール設置方法（更には、太陽電池システムおよび太陽電池システム設置方法）について説明する。本実施の形態に適用される太陽電池モジュール、太陽電池モジュール設置用架台（太陽電池システム）、太陽電池モジュール設置方法（太陽電池システム設置方法）は、実施の形態１、実施の形態２に係る太陽電池システム１、太陽電池モジュール１０、太陽電池モジュール設置用架台１５、太陽電池モジュール設置方法（太陽電池システム設置方法）と同様であるので、適宜符号を援用する。また、主に異なる事項について説明する。
【０１１１】
図８は、本発明の実施の形態３に係る太陽電池モジュール設置用架台１５（太陽電池システム１）および太陽電池モジュール設置方法（太陽電池システム設置方法）での太陽電池モジュール１０の状態を斜め上方から見た斜視図である。移動中の状態としては、実施の形態２での図６の状態に対応する。
【０１１２】
本実施の形態に係る太陽電池システム１は、第１支柱２３ｆおよび第２支柱２３ｓに連結され、太陽電池モジュール１０を屋根面ＲＦに設置するときに支点（可動支点）として利用する第３水平連結部４５を備える。
【０１１３】
したがって、本実施の形態に係る太陽電池システム１は、屋根面ＲＦの先端部ＲＦｔを支点とする必要がないことから、屋根面ＲＦの先端部ＲＦｔに対する接触が生じないので建物の不測の損傷を確実に防止する。
【０１１４】
第３水平連結部４５は、屋根面ＲＦの先端部ＲＦｔの側で第１支柱２３ｆおよび第２支柱２３ｓを連結するように配置される。第３水平連結部４５は、第１支柱２３ｆおよび第２支柱２３ｓに設けられたアングル支持部４６およびアングル支持部４７によって支持される。第３水平連結部４５は、実施の形態２で説明した可動支点（支点）に対応する作用を実現するように適宜の配置とされたアングル支持部４６およびアングル支持部４７によって位置決めされる。つまり、第３水平連結部４５は、屋根面ＲＦの先端部ＲＦｔに近い側で第１支柱２３ｆおよび第２支柱２３ｓの間を連結するように配置される。
【０１１５】
なお、アングル支持部４６およびアングル支持部４７は、第１水平連結部３１の移動を妨げないように配置する必要がある。したがって、アングル支持部４６は、最終的な設置状態（太陽電池モジュール１０を設置した状態）で第１水平連結部３１が配置される位置より上方に配置される。
【０１１６】
また、本実施の形態に係る太陽電池システム設置方法では、実施の形態２に係る太陽電池システム設置方法での第１ステップ、第２ステップ、第３ステップを備える。
【０１１７】
本実施の形態に係る第１ステップは、第１支柱２３ｆおよび第２支柱２３ｓを水平方向で連結する第１水平連結部３１が第１支持部２１および第２支持部２２を保持した状態で第１支柱２３ｆおよび第２支柱２３ｓに沿って上昇するように実施され、第３ステップは、第１水平連結部３１を第１支柱２３ｆおよび第２支柱２３ｓに対して固定することによって実施される。
【０１１８】
なお、第１ステップは、さらに次のとおりの構成となる。つまり、本実施の形態に係る第１ステップは、太陽電池モジュール１０を屋根面ＲＦの先端部ＲＦｔに沿わせて地面側から屋根面ＲＦの上方へ向けて上昇させるとき、屋根面ＲＦの先端部ＲＦｔに沿わせて配置した第３水平連結部４５を支点として、太陽電池モジュール１０を支点に立て掛けた状態で実施される。
【０１１９】
したがって、本実施の形態に係る太陽電池システム１は、屋根面ＲＦの先端部ＲＦｔを支点とする必要がないことから、屋根面ＲＦの先端部ＲＦｔに対する接触が生じないので建築物ＢＬ（屋根面ＲＦ）の不測の損傷を確実に防止する。つまり、屋根面ＲＦ（先端部ＲＦｔ）に対する影響を完全に排除して屋根面ＲＦの先端の形状による影響を受けずに太陽電池モジュール１０を設置することが可能となる。
【０１２０】
なお、本実施の形態に係る第３水平連結部４５は、他の実施の形態にもそのまま適用できる。
【０１２１】
上述したとおり、本実施の形態に係る太陽電池モジュール設置用架台１５は、実施の形態１、実施の形態２に記載した太陽電池モジュール設置用架台１５と同様の構成を備え、同様の作用効果を奏する。また、本実施の形態に係る太陽電池モジュール設置方法は、実施の形態１、実施の形態２で説明した太陽電池モジュール設置方法と同様であるので説明は省略する。
【０１２２】
＜実施の形態４＞
図９を参照して、本実施の形態に係る太陽電池モジュール設置用架台および太陽電池モジュール設置方法（更には、太陽電池システムおよび太陽電池システム設置方法）について説明する。本実施の形態に係る太陽電池モジュール、太陽電池モジュール設置用架台（太陽電池システム）、太陽電池モジュール設置方法（太陽電池システム設置方法）は、実施の形態１、実施の形態２に係る太陽電池システム１、太陽電池モジュール１０、太陽電池モジュール設置用架台１５、太陽電池モジュール設置方法（太陽電池システム設置方法）と同様であるので、適宜符号を援用する。また、主に異なる事項について説明する。
【０１２３】
図９は、本発明の実施の形態４に係る太陽電池モジュール設置用架台（太陽電池システム）および太陽電池モジュール設置方法（太陽電池システム設置方法）での太陽電池モジュール１０の設置状態を斜め上方から見た斜視図である。
【０１２４】
本実施の形態に係る太陽電池システム１は、第１水平連結部３１を昇降させる昇降駆動部６０を備える。したがって、本実施の形態に係る太陽電池システム１は、太陽電池モジュール１０の設置をさらに省力的に実施できることから、設置作業を容易で高精度にする。
【０１２５】
昇降駆動部６０は、第２水平連結部４０の中央部と第４水平連結部４９の中央部との間で相互を連結するように縦方向に配置された昇降軸６１を備える。第４水平連結部４９は第１支柱２３ｆ、第２支柱２３ｓを連結する形態で配置されているが、固定部５０（固定部５０ｓ）と同様に配置することも可能である。
【０１２６】
第１水平連結部３１の中央部には、昇降軸６１と係合するように水平保持部６２が配置されている。昇降軸６１と水平保持部６２とは、昇降軸６１を軸周りで回転させたときに水平保持部６２が第２水平連結部４０の方（上方）へ上昇し、あるいは、第４水平連結部４９の方（下方）へ降下するように相互に噛み合わせて形成された螺子を備える。
【０１２７】
昇降軸６１は、昇降操作部６３によって軸周りで回転される。したがって、昇降操作部６３を昇降軸６１の軸周りに回転させることによって、水平保持部６２を地面側から上の方へ移動させる。水平保持部６２の移動はそのまま第１水平連結部３１の移動となるので、第１水平連結部３１の移動を実施の形態１、実施の形態２の場合に比較して容易に実行することができる。昇降操作部６３は、回転させやすいように適宜の円周を持つハンドル形状とされている。
【０１２８】
なお、昇降軸６１は、第２水平連結部４０では第２水平連結部４０に係合された軸保持部６４によって保持され、第４水平連結部４９では第４水平連結部４９に係合された軸保持部６５によって保持される。
【０１２９】
また、本実施の形態に係る太陽電池システム設置方法では、実施の形態２に係る太陽電池システム設置方法での第１ステップ、第２ステップ、第３ステップを備える。
【０１３０】
本実施の形態での第１ステップは、第１支柱２３ｆおよび第２支柱２３ｓに沿って第１支持部２１および第２支持部２２が上昇するように太陽電池モジュール１０を屋根面ＲＦの先端部ＲＦｔに沿わせて地面側から屋根面ＲＦの上方へ向けて上昇させるとき、昇降駆動部６０を適用する。したがって、太陽電池モジュール１０を上方へ移動させるとき、地面側で昇降操作部６３を操作するだけで良く、太陽電池モジュール１０の設置をさらに省力的に実施できることから、設置作業を容易で高精度にする。
【０１３１】
なお、本実施の形態に係る昇降駆動部６０は、他の実施の形態にもそのまま適用できる。
【０１３２】
上述したとおり、本実施の形態に係る太陽電池モジュール設置用架台１５は、実施の形態１ないし実施の形態３に記載した太陽電池モジュール設置用架台１５と同様の構成を備え、同様の作用効果を奏する。また、本実施の形態に係る太陽電池モジュール設置方法は、実施の形態１ないし実施の形態２３説明した太陽電池モジュール設置方法と同様であるので説明は省略する。
【０１３３】
＜実施の形態５＞
図１０を参照して、本実施の形態に係る太陽電池モジュール設置用架台および太陽電池モジュール設置方法（更には、太陽電池システムおよび太陽電池システム設置方法）について説明する。本実施の形態に係る太陽電池モジュール、太陽電池モジュール設置用架台（太陽電池システム）、太陽電池モジュール設置方法（太陽電池システム設置方法）は、実施の形態１、実施の形態２に係る太陽電池システム１、太陽電池モジュール１０、太陽電池モジュール設置用架台１５、太陽電池モジュール設置方法（太陽電池システム設置方法）と同様であるので、適宜符号を援用する。また、主に異なる事項について説明する。
【０１３４】
図１０は、本発明の実施の形態５に係る太陽電池モジュール設置用架台１５（太陽電池システム１）および太陽電池モジュール設置方法（太陽電池システム設置方法）での太陽電池モジュール１０の状態を斜め上方から見た斜視図である。
【０１３５】
本実施の形態に係る太陽電池システム１は、第１支持部２１が締結され第１支柱２３ｆに取り付けられて第１支柱２３ｆを昇降する構成とされた第１締結昇降部２７と、第２支持部２２が締結され第２支柱２３ｓに取り付けられて第２支柱２３ｓを昇降する構成とされた第２締結昇降部２８とを備え、第１締結昇降部２７は、第１支持部２１を垂直方向で回転させる構成とされ、第２締結昇降部２８は、第２支持部２２を垂直方向で回転させる構成とされている。
【０１３６】
したがって、本実施の形態に係る太陽電池システム１は、第１支持部２１および第２支持部２２は、それぞれ第１支柱２３ｆおよび第２支柱２３ｓに取り付けられた第１締結昇降部２７および第２締結昇降部２８によって回転するように支持されるので、第１支持部２１および第２支持部２２は、第１支柱２３ｆおよび第２支柱２３ｓに対して、容易に、かつ安定的に昇降（移動）することができ、位置決め精度および作業性を向上させる。
【０１３７】
なお、第１締結昇降部２７と第１支持部２１、第２締結昇降部２８と第２支持部２２は、それぞれ、共通する回転軸を設けることによって、実施の形態１、実施の形態２で説明した回転部２５、回転部２６と同様な作用を持たせることができる。つまり、垂直方向で回転させるとは、第１支柱２３ｆおよび第１支持部２１を含む平面で第１支柱２３ｆに対する第１支持部２１の角度を任意に調整でき、第２支柱２３ｓおよび第２支持部２２を含む平面で第２支柱２３ｓに対する第２支持部２２の角度を任意に調整できることを示す。
【０１３８】
本実施の形態に係る太陽電池システム１では、第１支持部２１と第２支持部２２がそれぞれ独立して第１支柱２３ｆ、第２支柱２３ｓに係合することから、第１支持部２１および第２支持部２２相互間での連結状態が第１水平連結部３１を適用した場合に比較して弱くなることもあるので、第１支持部２１および第２支持部２２を連結する支持補強部２９を第１支持部２１の第１締結昇降部２７に近い位置、第２支持部２２の第２締結昇降部２８に近い位置に配置することが望ましい。
【０１３９】
なお、本実施の形態では、第１支持部２１および第２支持部２２に加えて、第１締結昇降部２７、第２締結昇降部２８、支持補強部２９が支持部材２０を構成し、支柱２３と支持部材２０とで太陽電池モジュール設置用架台１５を構成することとなる。
【０１４０】
本実施の形態に係る太陽電池システム設置方法では、実施の形態２に係る太陽電池システム設置方法での第１ステップ、第２ステップ、第３ステップを備える。
【０１４１】
なお、本実施の形態での第１ステップは、第１支持部２１が締結され第１支柱２３ｆに取り付けられて第１支柱２３ｆを昇降する構成とされた第１締結昇降部２７が第１支持部２１を垂直方向で回転させる状態、第２支持部２２が締結され第２支柱２３ｓに取り付けられて第２支柱２３ｓを昇降する構成とされた第２締結昇降部２８が第２支持部２２を垂直方向で回転させる状態で、第１締結昇降部２７が第１支柱２３ｆに沿って上昇し、第２締結昇降部２８が第２支柱２３ｓに沿って上昇するように実施され、第３ステップは、第１締結昇降部２７を第１支柱２３ｆに固定し、第２締結昇降部２８を第２支柱２３ｓに固定することによって実施される。
【０１４２】
したがって、本実施の形態に係る太陽電池システム設置方法は、第１支持部２１、第２支持部２２を連結する第１水平連結部３１が不要となり、第１支持部２１、第２支持部２２を直接第１支柱２３ｆ、第２支柱２３ｓへ連結するので構成を簡略化し、位置決め精度を第１支柱２３ｆ、第２支柱２３ｓによって直接的に確定する。また、第１水平連結部３１を省略するので軽量化が可能となる。
【０１４３】
なお、上述した実施の形態１ないし実施の形態５は、必要に応じて相互に適宜組み合わせて適用することができる。
【０１４４】
上述したとおり、本実施の形態に係る太陽電池モジュール設置用架台１５は、実施の形態１ないし実施の形態３に記載した太陽電池モジュール設置用架台１５と同様の構成を備え、同様の作用効果を奏する。また、本実施の形態に係る太陽電池モジュール設置方法は、実施の形態１ないし実施の形態３で説明した太陽電池モジュール設置方法と同様であるので説明は省略する。
【０１４５】
また、他の実施の形態と同様、太陽電池モジュール設置用架台１５では、支持部材２０と支柱２３とは、回転機構を介して連結されている。しかし、回転機構が他の実施の形態の場合と異なる形態とされている。つまり、本実施の形態での回転機構は、第１支持部２１（支持部材２０）と第１支柱２３ｆ（支柱２３）との間に配置された第１締結昇降部２７、および、第２支持部２２（支持部材２０）と第２支柱２３ｓ（支柱２３）との間に配置された第２締結昇降部２８で構成される。
【０１４６】
上述した実施の形態（実施の形態１ないし実施の形態５）では、支持部材２０については、実施例として第１支持部２１、第２支持部２２を適用し、支柱２３については、実施例として第１支柱２３ｆ、第２支柱２３ｓを適用した。しかし、支持部材２０を２つの支持部（第１支持部２１、第２支持部２２）とせずに、単一の支持部で構成することも可能であり、これに対応させて支柱２３を２つの支柱（第１支柱２３ｆ、第２支柱２３ｓ）とせずに、単一の支柱で構成することも可能である。
【０１４７】
＜実施の形態の異なる観点でのまとめ＞
上述した実施の形態に係る太陽電池システム（太陽電池システム１）は、従来の技術の課題に鑑みてなされたものであり、設置面（例えば屋根面）に対向して配置された太陽電池モジュールを支持する２つの支持部と、２つの支持部をそれぞれが保持する２つの支柱とを設けることによって、太陽電池モジュールを屋根面に上らずに屋根面に設置し、作業性、作業の安全性、強度を向上することができ、また、屋根面への加工が不要な安価で信頼性の高い太陽電池システムを提供することを目的とする。
【０１４８】
実施の形態に係る太陽電池システムは、相互に対向して配置された第１端辺および第２端辺を有し屋根面に対向して配置された太陽電池モジュールと、前記屋根面に沿って配置され前記第１端辺を支持する第１支持部と、前記屋根面に沿って配置され前記第２端辺を支持する第２支持部とを備えた太陽電池システムであって、前記屋根面の先端部から突出した前記第１支持部の側に立てて配置された第１支柱と、前記屋根面の先端部から突出した前記第２支持部の側に立てて配置された第２支柱とを備え、前記第１支柱および前記第２支柱は前記第１支持部および前記第２支持部を保持する構成とされていることを特徴とする。
【０１４９】
したがって、実施の形態に係る太陽電池システムは、太陽電池モジュールを設置するとき、立てて配置された一対の支柱（第１支柱、第２支柱）を利用して垂直方向で太陽電池モジュールを地面側から屋根面へ移動させ、太陽電池モジュールを屋根面に上らずに屋根面に設置するので、作業性、作業の安全性、強度を向上することができ、また、屋根面への加工が不要な安価で信頼性の高い太陽電池システムとなる。
【０１５０】
また、実施の形態に係る太陽電池システムでは、前記第１支持部および前記第２支持部を保持し、前記第１支柱および前記第２支柱を水平方向で連結する第１水平連結部を備えることを特徴とする。
【０１５１】
したがって、実施の形態に係る太陽電池システムは、第１支持部および第２支持部を垂直方向で移動させるとき、第１水平連結部を垂直方向で移動させることで、容易に、かつ高精度に第１支持部および第２支持部を同時に移動させることができ、位置決め精度および作業性を向上させる。また、設置後は、第１支持部と第２支持部を第１水平連結部に対して同一の配置状態とすることから、太陽電池モジュールに加わるストレスを低減して信頼性を向上させる。
【０１５２】
また、実施の形態に係る太陽電池システムでは、前記第１水平連結部は、軸で構成されてあり、前記第１支持部および前記第２支持部は、前記第１水平連結部に軸受け構造で嵌め込まれた回転部を備えることを特徴とする。
【０１５３】
したがって、実施の形態に係る太陽電池システムは、第１支持部および第２支持部が第１水平連結部の軸周りで自由に回転することから、第１水平連結部を第１支柱および第２支柱に沿って垂直方向へ移動させると、第１支持部および第２支持部は、屋根面の先端部に対向させて移動する構成となり、容易に、かつ、安定的に太陽電池モジュールを移動できるので、位置決め精度および作業性を向上させる。
【０１５４】
また、実施の形態に係る太陽電池システムでは、前記第１水平連結部の両端は、前記第１支柱および前記第２支柱のそれぞれに沿って昇降移動する昇降移動部を備えることを特徴とする。
【０１５５】
したがって、実施の形態に係る太陽電池システムは、昇降移動部によって第１水平連結部の移動（昇降）を容易に、かつ、高精度に規制することから、太陽電池モジュールを設置するときの作業性を向上させ、また、第１水平連結部が第１支柱および第２支柱から脱落することを確実に防止するので、信頼性を向上させる。
【０１５６】
また、実施の形態に係る太陽電池システムでは、前記第１水平連結部を昇降させる昇降駆動部を備えることを特徴とする。
【０１５７】
したがって、実施の形態に係る太陽電池システムは、太陽電池モジュールの設置をさらに省力的に実施できることから、設置作業を容易で高精度にする。
【０１５８】
また、実施の形態に係る太陽電池システムでは、前記第１支持部が締結され前記第１支柱に取り付けられて前記第１支柱を昇降する構成とされた第１締結昇降部と、前記第２支持部が締結され前記第２支柱に取り付けられて前記第２支柱を昇降する構成とされた第２締結昇降部とを備え、前記第１締結昇降部は、前記第１支持部を垂直方向で回転させる構成とされ、前記第２締結昇降部は、前記第２支持部を垂直方向で回転させる構成とされていることを特徴とする。
【０１５９】
したがって、実施の形態に係る太陽電池システムは、第１支持部および第２支持部は、それぞれ第１支柱および第２支柱に取り付けられた第１締結昇降部および第２締結昇降部によって回転するように支持されるので、第１支持部および第２支持部は、第１支柱および第２支柱に対して、容易に、かつ安定的に昇降（移動）することができ、位置決め精度および作業性を向上させる。
【０１６０】
また、実施の形態に係る太陽電池システムでは、前記第１支柱の先端側および前記第２支柱の先端側を水平方向で連結する第２水平連結部を備えることを特徴とする。
【０１６１】
したがって、実施の形態に係る太陽電池システムは、第１支柱および第２支柱の位置関係を先端側でも維持することから、第１支柱および第２支柱の位置精度と構造的強度を向上し、太陽電池モジュールの設置時の第１支持部および第２支持部の移動を円滑にし、また、設置時の位置ズレ、設置後の位置ズレ、太陽電池モジュールに対するストレスの発生を防止し、信頼性を向上させる。
【０１６２】
また、実施の形態に係る太陽電池システムでは、前記第１支柱および前記第２支柱に連結され、太陽電池モジュールを前記屋根面に設置するときに支点として利用する第３水平連結部を備えることを特徴とする。
【０１６３】
したがって、実施の形態に係る太陽電池システムは、屋根面の先端部を支点とする必要がないことから、屋根面の先端部に対する接触が生じないので建築物（屋根面）の不測の損傷を確実に防止する。
【０１６４】
また、実施の形態に係る太陽電池システムでは、前記第１支柱の根元および前記第２支柱の根元は、固定部で固定されていることを特徴とする。
【０１６５】
したがって、実施の形態に係る太陽電池システムは、一対の支柱の配置を高精度に維持することから、設置作業での作業性、設置後の安定性を確保する。
【０１６６】
また、実施の形態に係る太陽電池システムでは、前記固定部は、建築物に取り付けられた締結部材で構成されていることを特徴とする。
【０１６７】
したがって、実施の形態に係る太陽電池システムは、固定部を建築物に取り付けられた締結部材で構成されていることから、設置場所の許容範囲を拡充し、用途に応じた利用を促進することができる。
【０１６８】
また、実施の形態に係る太陽電池システムは、第１端辺および第２端辺を有し屋根面に対向して配置された太陽電池モジュールと、第１端辺を支持する第１支持部と、第２端辺を支持する第２支持部と、屋根面の先端から突出した第１支持部の側に立てて配置された第１支柱と、屋根面の先端から突出した第２支持部の側に立てて配置された第２支柱とを備え、第１支柱および第２支柱は第１支持部および第２支持部を保持する構成とされていることから、次のとおりの作用効果を奏する。
【０１６９】
つまり、実施の形態に係る太陽電池システムは、太陽電池モジュールを設置するとき、立てて配置された一対の支柱（第１支柱、第２支柱）を利用して垂直方向で太陽電池モジュールを地面側から屋根面へ移動させ、太陽電池モジュールを屋根面に上らずに屋根面に設置するので、作業性、作業の安全性、強度を向上することができ、また、屋根面への加工が不要な安価で信頼性の高い太陽電池システムとなる。
【０１７０】
また、上述した実施の形態に係る太陽電池システム設置方法は、太陽電池システムを設置するときに太陽電池モジュールを設置面（例えば屋根面）の先端（先端部ＲＦｔ）に沿わせて上昇させ、設置作業時に作業者が屋根面に上る必要がなく、小さい労力で太陽電池モジュールを確実に、かつ安定性良く設置でき、また、設置作業の安全性を確保し、作業を簡略化し、作業性、信頼性の高い太陽電池システム設置方法を提供することを他の目的とする。
【０１７１】
実施の形態に係る太陽電池システム設置方法は、相互に離れて配置された第１端辺および第２端辺を有し屋根面（設置面）に対向して配置された太陽電池モジュールと、前記屋根面に沿って配置され前記第１端辺を支持する第１支持部と、前記屋根面に沿って配置され前記第２端辺を支持する第２支持部とを備え、前記第１支持部および前記第２支持部は、相互に離れて前記屋根面の先端部から突出され、突出した前記第１支持部の側に立てて配置された第１支柱と、突出した前記第２支持部の側に立てて配置された第２支柱とを備え、前記第１支柱および前記第２支柱は前記第１支持部および前記第２支持部を保持する構成とされている太陽電池システムを設置する太陽電池システム設置方法であって、前記第１支柱および前記第２支柱に沿って前記第１支持部および前記第２支持部が上昇するように前記太陽電池モジュールを前記屋根面の前記先端部に沿わせて地面側から屋根面の上方へ向けて上昇させる第１ステップと、前記第１支持部および前記第２支持部を前記屋根面に対向させて前記太陽電池モジュールを前記屋根面に設置する第２ステップと、前記第１支持部および前記第２支持部を前記第１支柱および前記第２支柱に対して位置決めする第３ステップとを備えることを特徴とする。
【０１７２】
したがって、実施の形態に係る太陽電池システム設置方法は、太陽電池モジュールを設置面（屋根面）の先端部に沿わせて地面側から屋根面の上方へ向けて上昇させるので、設置作業時に屋根面の上に上る必要がなく、小さい労力で太陽電池モジュールを確実に、かつ安定性良く設置する。また、本発明に係る太陽電池システム設置方法は、設置作業の安全性を確保し、作業を簡略化するので、設置コストを低減する。また、屋根面への加工が全く不要であり、作業性、信頼性の高い太陽電池システム設置方法となる。
【０１７３】
実施の形態に係る太陽電池システム設置方法では、前記第１ステップは、前記第１支柱および前記第２支柱を水平方向で連結する第１水平連結部が前記第１支持部および前記第２支持部を保持した状態で前記第１支柱および前記第２支柱に沿って上昇するように実施され、前記第３ステップは、前記第１水平連結部を前記第１支柱および前記第２支柱に対して固定することによって実施されることを特徴とする。
【０１７４】
したがって、実施の形態に係る太陽電池システム設置方法は、第１支持部、第２支持部相互の位置関係を第１水平連結部で確定することから、太陽電池モジュールを移動させるときの第１支持部、第２支持部への移動の影響を抑制し、また、第１水平連結部を第１支柱、第２支柱へ堅固に取り付けて構造物としての信頼性を確保する。
【０１７５】
実施の形態に係る太陽電池システム設置方法では、前記第１ステップは、前記第１支持部が締結され前記第１支柱に取り付けられて前記第１支柱を昇降する構成とされた第１締結昇降部が前記第１支持部を垂直方向で回転させる状態、前記第２支持部が締結され前記第２支柱に取り付けられて前記第２支柱を昇降する構成とされた第２締結昇降部が前記第２支持部を垂直方向で回転させる状態で、前記第１締結昇降部が前記第１支柱に沿って上昇し、前記第２締結昇降部が前記第２支柱に沿って上昇するように実施され、前記第３ステップは、前記第１締結昇降部を前記第１支柱に固定し、前記第２締結昇降部を前記第２支柱に固定することによって実施されることを特徴とする。
【０１７６】
したがって、実施の形態に係る太陽電池システム設置方法は、第１支持部、第２支持部を連結する第１水平連結部が不要となり、第１支持部、第２支持部を直接第１支柱、第２支柱へ連結するので構成を簡略化し、位置決め精度を第１支柱、第２支柱によって直接的に確定する。また、第１水平連結部を省略するので軽量化が可能となる。
【０１７７】
実施の形態に係る太陽電池システム設置方法では、前記第１ステップは、前記太陽電池モジュールを前記屋根面の前記先端部に沿わせて地面側から屋根面の上方へ向けて上昇させるとき、前記先端部を支点として、あるいは、前記先端部に沿わせて配置した第３水平連結部を支点として、前記太陽電池モジュールを前記支点に立て掛けた状態で実施されることを特徴とする。
【０１７８】
したがって、実施の形態に係る太陽電池システム設置方法は、屋根面の先端をそのまま支点として利用するときは、建築物の安定性をそのまま利用でき、安定性の良い設置が可能となり、他方、屋根面の先端に沿わせて配置した第３水平連結部を支点とするときは、屋根面（屋根面の先端）に対する影響を完全に排除して屋根面の先端の形状による影響を受けずに太陽電池モジュールを設置することが可能となる。
【０１７９】
実施の形態に係る太陽電池システム設置方法は、上述した実施の形態に係る太陽電池システムを設置する太陽電池システム設置方法であって、第１支柱および第２支柱に沿って第１支持部および第２支持部が上昇するように太陽電池モジュールを設置面（屋根面）の先端に沿わせて地面側から屋根面の上方へ向けて上昇させる第１ステップと、第１支持部および第２支持部を屋根面に対向させて太陽電池モジュールを屋根面に設置する第２ステップと、第１支持部および第２支持部を第１支柱および第２支柱に対して位置決めする第３ステップとを備えることから、次のとおりの作用効果を奏する。
【０１８０】
したがって、実施の形態に係る太陽電池システム設置方法は、太陽電池モジュールを設置面（屋根面）の先端に沿わせて地面側から屋根面の上方へ向けて上昇させるので、設置作業時に屋根面の上に上る必要がなく、小さい労力で太陽電池モジュールを確実に、かつ安定性良く設置し、また、設置作業の安全性を確保し、作業を簡略化するので、設置コストを低減する。また、屋根面への加工が全く不要であり、作業性、信頼性の高い太陽電池システム設置方法となる。
【符号の説明】
【０１８１】
１  太陽電池システム
１０  太陽電池モジュール
１０ｐ  太陽電池パネル面
１１  第１端辺
１２  第２端辺
１５  太陽電池モジュール設置用架台
２０  支持部材
２０ｓ  支持面
２１  第１支持部（支持部材）
２２  第２支持部（支持部材）
２３  支柱
２３ｆ  第１支柱（支柱）
２３ｓ  第２支柱（支柱）
２５、２６  回転部（回転機構）
２７  第１締結昇降部（回転機構）
２８  第２締結昇降部（回転機構）
２９  支持補強部
３１  第１水平連結部（支持部材）（回転機構）
３２、３３  昇降移動部
４０  第２水平連結部
４１、４２  連結保持部
４５  第３水平連結部
４６、４７  アングル支持部
４９  第４水平連結部
５０、５０ｓ  固定部
６０  昇降駆動部
ＢＬ  建築物
Ｄｒｔ、Ｄｕｐ  方向
ＲＦ  屋根面（設置面）
ＲＦｓ  延長面
ＲＦｔ  先端部（雨どい）
ＷＬ  壁面
α  傾斜角
【図１】
2012146755.tif 000003
【図２】
2012146755.tif 000004
【図３】
2012146755.tif 000005
【図４】
2012146755.tif 000006
【図５Ａ】
2012146755.tif 000007
【図５Ｂ】
2012146755.tif 000008
【図６】
2012146755.tif 000009
【図７】
2012146755.tif 000010
【図８】
2012146755.tif 000011
【図９】
2012146755.tif 000012
【図１０】
2012146755.tif 000013